Podtech/llm-jp-corpus-v4-ja_patent huggingface dataset:
(57)【要約】      （修正有）【課題】認知症等による紙パンツ使用者の大便後のパンツ取り替え作業における介護者の負荷を大幅に軽減できるシャワーヘッドを提供する。【解決手段】水洗トイレ便座の横に設置されている手洗用設備下部の空間に位置する温水給水管１に分岐３を設け、分岐の先に流量調整弁４とフレキシブル管５を介して停止ボタン付きシャワーヘッド６を設ける。通常時、シャワーヘッドは手洗用設備の下部空間に、巻いたフレキシブル管と共に収納しておく。使用時には、シャワーヘッドを便器内まで挿入し、シャワー止め弁およびシャワーヘッド停止弁を開いてシャワーヘッドから比較的高圧の温水シャワーを洗浄する部位に当てる。【選択図】図１
0003197102.tif 000002
【実用新案登録請求の範囲】
【請求項１】
水洗トイレ便座の横に設置される手洗用設備ないし手洗用キャビネット下部の空間に位置する温水給水管の中間に分岐を設け、分岐の先に流量調節弁とフレキシブル管を介して取り付けたシャワーヘッド。
【請求項２】
上記手洗用設備ないし手洗用キャビネット下部の空間に設けられたシャワーヘッド掛およびシャワー残留水受。
【考案の詳細な説明】
【技術分野】
【０００１】  本考案は被介護者の下半身の洗浄を容易にするシャワー装置に関するものである。
【背景技術】
【０００２】  寝たきりにならずとも、認知症等で紙パンツ類の着装が常態化し、その交換をトイレで介護人に依存している人が多数存在する。液体状排泄物（小便）の場合はパッドや紙パンツの交換で済むが、固体状排泄物（大便）の場合は、パンツ類の交換の他に下半身の洗浄が必要になる。水洗トイレの場合、シャワートイレでは便器内から上向きに吹き出すシャワーにその洗浄効果を期待するが、固定されたシャワー到達範囲や水圧不足のために、そのシャワーだけでは下半身に付着した汚物を完全には除去できない場合がほとんどである。
【考案の概要】
【考案が解決しようとする課題】
【０００３】  既存のシャワートイレで対応できない場合には、汚れた下半身を紙ないし布で徹底的に拭くか、風呂場ないしシャワー室に被介護者を連れてゆき全身シャワー等を用いて汚物を除去するしかないが、移動や後片付けを含めその作業量は膨大で介護者の負担が甚だ大きい。また、シャワー設備のある区画を専用に設けるには、スペースの確保や費用の問題がある。【０００４】  本考案は、従来の水洗トイレによる作業の限界の問題を解決し、排便後の被介護者の洗浄を便座の上だけで、完全かつ短時間で実施できるようにすることを目的としている。
【課題を解決するための手段】
【０００５】  上記目的を達成するために、本考案では水洗トイレ便座の横に設置される手洗用設備ないし手洗用キャビネット下部の空間に位置する温水給水管に分岐を設け、手洗水蛇口に行かない方の分岐の先に流量調節弁と３ｍ程度の長さのフレキシブル管を介して停止ボタン付のシャワーヘッドを設ける。シャワーヘッドは通常時には手洗用設備ないし手洗用キャビネット下部の空間に、巻いたフレキシブル管と共に収納しておく。【０００６】  排便後の被介護者の下半身を洗浄するにあたっては、手洗用キャビネットの扉を開け、フレキシブル管をシャワーヘッドが便器内に届くまで伸ばし、流量調節弁およびシャワーヘッド上の停止ボタンを開としてシャワーヘッドから適切な水圧・流量の温水シャワーを汚物付着個所に当てる。
【考案の効果】  紙パンツ等の着装者の排便後にパンツを交換するにあたっての介護者の負担が、時間的な面を含め大幅に軽減される。
【図面の簡単な説明】
【０００７】
【図１】  手洗用キャビネットの扉を開き、フレキシブル管を引き出してシャワーを使える状態にした状態である。
【考案を実施するための形態】
【０００８】  比較的広い空間に設置されている水洗トイレでは、手洗用設備ないし手洗用キャビネットが同じ空間に設けられていることが多い。そのような場合には、温水給水管に分岐を設けそれにシャワー器具を取り付けることにより、本考案を容易に実施できる。
本キャビネットを新設する場合は、ここに示した部品を工場で全て組み込んだセットを設置する。
【実施例】
【０００９】  実施例について、図面を参照して説明する。
図１において、１は温水給水管、２は排水管、３は分岐、４は流量調節弁、５はフレキシブル管、６はシャワーヘッドである。シャワーヘッドには手元に停止ボタンが付いていると作業に便利である。７はシャワーヘッド掛、８はシャワー残留水受である。９は手洗水止め弁、１０は扉板である。
本キャビネットでは、シンクの下がボックスになっていて、通常時は給水管、排水管、フレキシブル管、シャワーヘッド等が扉板に隠れているのが美的である。
【産業上の利用の可能性】
【００１０】  超高齢化社会を迎え、介護は社会的に大きな問題である。介護において排便後の処置は主要な作業の一つであり、それに要する介護者の負担軽減を極力図る必要がある。介護施設及び要介護者を抱える家庭への本キャビネットの普及が、この要請に応える。
【符号の説明】
【００１１】１  温水給水管
２  排水管
３  分岐
４  流量調節弁
５  フレキシブル管
６  シャワーヘッド
７  シャワーヘッド掛
８  シャワー残留水受
９  手洗水止め弁
１０  扉板
【図１】
0003197102.tif 000003
【手続補正書】
【提出日】平成27年2月5日(2015.2.5)
【手続補正１】
【補正対象書類名】実用新案登録請求の範囲
【補正対象項目名】全文
【補正方法】変更
【補正の内容】
【実用新案登録請求の範囲】
【請求項１】
水洗トイレ便座の横に設置される手洗用設備ないし手洗用キャビネット下部の空間に位置する温水給水管の中間に分岐を設け、分岐の先に流量調節弁とフレキシブル管を介して取り付けたシャワーヘッド。
(57)【要約】      （修正有）【課題】クリーム等を使用するために便利な用具がおまけとして収容されたクリーム等の乳製品用紙製角形容器の重ね箱を提供する。【解決手段】３個の山形突出部２、３、４を有する本体１と、その本体１に下から内嵌した山形の底板５とからなる重ね箱において、本体１と底板５は部分的に補強用の凹部７又は凸部８を有する透明で薄肉の合成樹脂成形品とし、底板５の山形突出部６を本体１の中央の山形突出部３に内嵌して重ね箱内部を二分し、その二分された内部の一方に合成樹脂製の口金９を、他方に合成樹脂製のしぼり袋１０を収容する。【選択図】図１
0003197154.tif 000002
【実用新案登録請求の範囲】
【請求項１】
３個の山形突出部（２、３、４）を有する本体（１）と、前記本体に下から内嵌した山形の底板（５）とからなる重ね箱であって、前記本体と前記底板（５）は部分的に補強用の凹部（７）又は凸部（８）を有する透明で薄肉のＰＥＴ樹脂成形品であり、前記底板の山形突出部（６）は前記本体の中央の前記山形突出部（３）に内嵌して重ね箱内部を二分し、その二分された内部の一方に合成樹脂製の口金（９）を、他方に合成樹脂製のしぼり袋（１０）を収容したことを特徴とする口金としぼり袋を入れた乳製品用角形容器の重ね箱。
【考案の詳細な説明】
【技術分野】
【０００１】
本考案は上面が山形となっているクリーム等の乳製品用紙製角形容器の、頂部に嵌合して使用する重ね箱に関する。
【背景技術】
【０００２】
この種の重ね箱としては本出願人による実用新案登録第３００６８７７号の前案があり、上記容器の積み重ねを容易にすると共に、内容物の出口となる取り出し部分の清潔を保持するという効果を挙げている。
【０００３】
【特許文献１】実用新案登録第３００６８７７号公報
【考案の開示】
【考案が解決しようとする課題】
【０００４】
従来、前案の重ね箱におもちゃ等をおまけとして入れていたが、必ずしも購入者に喜ばれているとはいえなかった。そこで、本出願の考案者は、購入者に必ず歓迎される物品をおまけとして重ね箱に入れるべきであると考え、試行錯誤をくり返した結果、本考案に到達した。
【０００５】
その考案の課題は、クリーム等の乳製品を使用するために必要な用具であって、重ね箱と共に廃棄することができるものを重ね箱の中におまけとして入れることにある。
【課題を解決するための手段】
【０００６】
前記課題を達成するため、本考案が採用する手段は、ＰＥＴ樹脂製重ね箱の山形突出部で２分した内部の一方に合成樹脂製の口金を、他方に合成樹脂製のしぼり袋を入れたことにある。合成樹脂製のしぼり袋は小さくたたんでゴム輪を掛けておくことが望ましい。
【０００７】
上記手段により、購入者は、おまけのしぼり袋に口金を取り付け、その内部に容器からクリームを入れると、クリームのしぼり出しが楽になる。ＰＥＴ樹脂製重ね箱は、他の紙製角形容器の開封後のオーバーキャップとしても利用することができる。
【考案の効果】
【０００８】
上記のとおり、本考案のクリーム等の乳製品用紙製角形容器の重ね箱は、従来のおもちゃ等がおまけとして入れられていたものとは異なり、クリーム等の使用に便利な口金としぼり袋が入れてあるから、購入者が重ね箱内の口金としぼり袋を使用してクリームを楽にしぼり出すことができるという優れた効果を奏する。
ＰＥＴ樹脂製の重ね箱は、かぶせていた容器が空になった後も、他の開封した紙製角形容器のオーバーキャップとして便利に使用することができるという格別の効果を奏する。
【考案を実施するための最良の形態】
【０００９】
本考案を図面に示す実施例に基づいて説明する。
【００１０】
図１は本考案実施例の重ね箱の縦断面図、図２は図１の重ね箱をかぶせたクリーム等の乳製品用紙製角形容器の要部斜視図である。
【００１１】
重ね箱は、３個の山形突出部２、３、４を有する角形帽子状の本体１と、その本体１に下からはめ込まれる山形の底板５とからなり、底板５の山形突出部６は本体１の中央の山形突出部３に突入して重ね箱の内部を二分する。
【００１２】
本体１と底板５は、透明で薄肉のＰＥＴ樹脂製成形品であり、部分的に補強のために凹部７と凸部８が形成される。
【００１３】
始めに、本体１を上下反転する。次に、本体１の両側の山形突出部２、４の一方に合成樹脂製の口金９を入れ、他方に合成樹脂製のしぼり袋１０を小さくたたみ、それをゴム輪１２で止めたものを入れる。
【００１４】
ついで、本体１に底板５を入れ、底板５の山形突出部６を本体１の中央山形突出部３に入れる。それから、底板５の山形斜面裾部の下面と、その裾部と交差する本体１の下部内面に図外の接着テープを貼り渡して本体１と底板５を一体にする。最後に、内部に口金９としぼり袋１０を入れた重ね箱をクリーム用角形容器１１にのせて底板５の山形を角形容器１１の山形にはめる。
【００１５】
この重ね箱をのせたクリーム用角形容器１１を購入すると、おまけとしてクリームのしぼり出しに便利な口金９としぼり袋１０が付いてくるから、購入者はクリームを楽にしぼり出すことが可能である。
【００１６】
ＰＥＴ樹脂製重ね箱は強くて安全性に優れ、かつ衛生的であるから、かぶせていたクリーム用紙製角形容器が空になった後は、他の紙製角形容器、例えば、牛乳、ジュース、コーヒー、飲むヨーグルト等の開封したパックにワンタッチでかぶせるオーバーキャップとして便利に使用することができる。このオーバーキャップは、冷蔵庫の臭いの容器内への移行を遮断するだけでなく、容器転倒時の内容物の大量流出を防止する。
【産業上の利用可能性】
【００１７】
本考案は、紙パックに付属品を添付する形で商品をパッケージする用途に幅広く適用することができる。
【図面の簡単な説明】
【００１８】
【図１】本考案実施例の重ね箱の縦断面図
【図２】図１の重ね箱をかぶせた乳製品用紙製角形容器の要部を示す斜視図
【図３】従来技術の実用新案登録第３００６８７７号の構成を示す図
【符号の説明】
【００１９】
１  本体
２、３、４  山形突出部
５  底板
６  山形突出部
７  凹部
８  凸部
９  口金
１０  しぼり袋
１１  角形容器
【図１】
0003197154.tif 000003
【図２】
0003197154.tif 000004
【図３】
0003197154.tif 000005
(57)【要約】      （修正有）【課題】排気の熱をヒートパイプにより回収伝熱し、他にエネルギーを消費することなく、融雪又は、雨樋凍結防止が出来るＦＦ式ファンヒーターを提供する。【解決手段】ヒートパイプ入熱部４をＦＦ式ファンヒーター２の排気筒３の排気側に設置し、他端放熱部５側を雪６又は、雨樋に設置する事でＦＦ式ファンヒーターの排熱を回収伝熱し融雪又は雨樋凍結防止を図る。ヒートパイプを着脱式にすることにより、冬季以外は排気筒より外しておく事も出来る。放熱面積を増す為、放熱部にヒートシンク７を取り付け、伝熱・放熱効率を増加させるのが好ましい。【選択図】図１
0003197111.tif 000002
【実用新案登録請求の範囲】
【請求項１】
排気の熱を利用し融雪又は、雨樋凍結防止出来るＦＦ式ファンヒーター
【考案の詳細な説明】
【技術分野】
【０００１】本考案は、排気の熱をヒートパイプにより伝熱し、融雪又は、雨樋凍結防止が出来るＦＦ式ファンヒーターに関するものである。
【背景技術】
【０００２】従来、ＦＦ式ファンヒーターは、燃焼後の空気を屋外に強制排気しているが、この排気には充分な熱量があるが利用されず排出されていた。
【先行技術文献】
【特許文献】
【０００３】
【特許文献１】特許公開平８−６１７８３
【特許文献２】特許公開平９−２５０８１２
【特許文献３】実用新案公開平７−３２４５３
【考案の概要】
【考案が解決しようとする課題】
【０００４】従来、ＦＦ方式ファンヒーターの燃焼排気は、床暖房や衣類乾燥等に利用されていたが、排気筒により屋外に排出される排気にはまだ熱量があり、これが利用されていなかった。床暖房や衣類乾燥等に利用されておらず単に排気するものであればさらにその排気の熱量は多く利用されていないまま屋外へ排出されていた。【０００５】排気の熱が充分に回収利用されない一方、雪国では屋外や屋根に積雪し、除雪の労力及びスペースを必要とし、又屋根の雨樋の中で雪は凍結し、これが滑落する際には雨樋の破損などがあった。
【課題を解決するための手段】
【０００６】本考案は、未利用の熱量の残る排気筒からの排気ガスの熱量を排気筒に設置したヒートパイプの入熱部と他端の放熱部を雪中又は雨樋に設置する事により排熱回収し伝熱することにより、融雪又は雨樋内の雪又は雨水の凍結防止が図れる。
【考案の効果】
【０００７】本考案により、他にエネルギーを消費する事なく、利用されず排出されていた排気ガスの熱量を回収し、伝熱することにより、融雪又は雨樋内の雪又は雨水の凍結防止が図れる。
【図面の簡単な説明】
【０００８】
【図１】本考案実施の側面図である。
【図２】本考案実施の雨樋への実施例図である。
【考案を実施するための形態】
【０００９】ヒートパイプ入熱部を排気筒の排気側に設置し、他端放熱部側を雪中又は、雨樋に設する事でＦＦ式ファンヒーター排気の排熱を回収・伝熱し、融雪又は雨樋凍結防止を他のエネルギーの消費なく図る。
【実施例】
【００１０】  本考案の部分は、着脱式にした場合、冬季以外は排気筒より外しておく事も出来る。又、放熱面積を増す為、放熱部にヒートシンクを取り付け、伝熱・放熱効率を増した実施例を図１に示す。雨樋への実施例を図２に示す。本考案の部分は、着脱式にした場合、冬季以外は排気筒より外しておく事も出来る。又、放熱面積を増す為、放熱部にヒートシンクを取り付け、伝熱・放熱効率を増した実施例を図１に示す。
【符号の説明】
【００１１】１  建物外壁
２  ＦＦ式ファンヒーター
３  排気筒
４  ヒートパイプ入熱部
５  ヒートパイプ放熱部
６  雪
７  ヒートシンク
８  雨樋
【図１】
0003197111.tif 000003
【図２】
0003197111.tif 000004
【手続補正書】
【提出日】平成27年2月2日(2015.2.2)
【手続補正１】
【補正対象書類名】実用新案登録請求の範囲
【補正対象項目名】全文
【補正方法】変更
【補正の内容】
【実用新案登録請求の範囲】
【請求項１】
ヒートパイプ入熱部４を排気筒３の排気側に設置し、他端放熱部５を雪中又は、雨樋に設置する事でＦＦ式ファンヒーター排気の排熱を回収・伝熱し、融雪又は雨樋凍結防止を他のエネルギーの消費なく図る事を特徴とするヒートパイプを取りつけたＦＦ方式ファンヒータ。
(57)【要約】      （修正有）【課題】女性の下着を、上半身と下半身のボディを一体化し使い勝手の良いボディ一体化下着を提供する。【解決手段】女性用上下一体化下着を、正面から見て上部左右紐４左パット部５、右パット部６の下は、パンティ部３を設け、その下は、縦に背面まで伸縮性の生地７とソフトゴムを縫いつけ、その上部一箇所だけホック凸部８とホック凹部を設け又、女性用上下一体化下着本体１を裏返しにして正面から見て、左パット部には左パット入れ口、右パット部にも、パット入れ口を設け、左右の伸縮性生地の中間は、開放部９を設けたことを特徴とする。【選択図】図１
0003197952.tif 000002
【実用新案登録請求の範囲】
【請求項１】
女性用上下一体化下着を、正面から見て上部左右紐（４）左パット部（５）、右パット部（６）の下は、パンティ部（３）を設け、その下は、縦に背面まで伸縮性の生地（７）とソフトゴム（１０）を縫いつけ、その上部一箇所だけホック凸部（８）とホック凹部（８−１）を設け又、女性用上下一体化下着本体（１）を裏返しにして正面から見て、左パット部（６）には左パット入れ口、（６−１）、右パット部（５）にも、パット入れ口（５−１）を設け、左右の伸縮性生地の中間は、開放部（９）を設けた、女性用上下一体化下着。
【考案の詳細な説明】
【技術分野】
【０００１】
女性の下着を、上半身と下半身のボディを一体化したボディ一体化下着に関する。
【背景技術】
【０００２】
従来，ボディスーツとシュミーズを別々に履いて来たが、女性が洋服を着る時、又は着物を着る時、中にパンティを履き、その上に色々なものを着て、且つ洋服又は、着物を着る事が昔から常識的になっている。
下部の下着と上部の下着と一体化して下部を解放したものは現在他に見当たらない。
特許文献１、特開２０００−１４４５０３号公報（女性用衣類）
【先行技術文献】
【特許文献】
【０００３】
【特許文献１】特開２０００−１４４５０３号公報
【考案の概要】
【考案が解決しようとする課題】
【０００４】
従来のボディスーツは、股の部分にホックが設けられているが、これでは股の部分が痛く、又ホックをかけるのに苦労するものであり、又大便器を跨ぐ時はパンティを膝まで下げなければならず大変不便である。これは解決しなければならない課題である。
【課題を解決するための手段】
【０００５】
課題を解決するために本考案は，以下の構成とした。  
女性用上下一体化下着を、使用する目的はパンティを省略して、下部に開放部（９）を設け、パンティを膝まで下げずに便器を跨ぐようにする事である。
【０００６】
女性用上下一体化下着を、正面から見て上部左右紐（４）、左パット部（５）、右パット部（６）の下は、パンティ部（３）、その下は、縦に背面まで伸縮性の生地（７）とソフトゴム（１０）を縫い付け、その上部一箇所だけホック凸部（８）とホック凹部（８−１）を設けた。
【０００７】
女性用上下一体化下着本体（１）を裏返しにして、背面から見て、左パット部（６）に左バット入れ口（６−１）を設け、右パット部（５）には、バット入れ口（５−１）を設けた。
【０００８】
最も重要なことは、［図２］に記載したように、開放部（９）を背面まで設けてあるため、大便器を跨ぐときに、パンティを膝まで下げる必要がなく極めて便利である。
【考案の効果】
【０００９】
本発明は，以下の効果を有する。
１． 洗濯の場合は、女性用上下一体化下着一枚だけであり、簡単・便利である。
２． パンティを省略して、且つ下部を開放しているため、便器を跨ぐ時にパンティを、膝まで下げる必要がなく大変便利である。
３． 腹部・股の部分から、ホックを取り除いてあるため苦痛が無くなった。
【図面の簡単な説明】
【００１０】
【図１】本考案の正面図
【図２】本考案の女性用上下一体化下着を裏返しにした正面図
【図３】本考案の女性用上下一体化下着を裏返しにした背面図
【考案を実施するための形態】
【００１１】
以下本考案の実施形態について説明する。
課題を解決するために本考案は，以下の構成とした。  
老齢化社会において、簡単な構造の衣類、使用が老人でも容易に出来る下着が必要である。
女性用上下一体化下着を、使用する目的はパンティを省略して、下部に開放部（９）を設け、パンティを膝まで下げずに便器を跨ぐようにする事である。
【００１２】
を正面から見て上部左右紐（４）左パット部（５）、右パット部（６）の下は、パンティ部（３）その下は、縦に背面まで伸縮性の生地（７）とソフトゴム（１０）を縫いつけ、その上部一箇所だけホック凸部（８）と、ホック凹部（８−１）を取り付けた。
【００１３】
女性用上下一体化下着本体（１）を裏返しにして背面から見て、左パット部（６）に左パット入れ口部（６−１）を設け、右パット部（５）の中にパットを入れる右パット入れ口（５−１）を設けた。
最も重要なことは、［図２］に記載したように、開放部（９）を背面まで設けてあるため、大便器を跨ぐときに、パンティを膝まで下げる必要がなく極めて便利であり、特に老齢化社会において欠かせないものと考える。
【符号の説明】
【００１４】
（１）    女性用上下一体化下着本体
（２）    ブラジャー部
（３）    パンティ部
（４）    紐
（５）    左パット部
（５−１）左パット入れ口部
（６）    右パット部
（６−１）右パット入れ口部
（７）    伸縮性の生地
（８）    ホック凸部    
（８−１）ホック凹部
（９）    開放部
（１０）  ソフトゴム
【図１】
0003197952.tif 000003
【図２】
0003197952.tif 000004
【図３】
0003197952.tif 000005
(57)【要約】      （修正有）【課題】夜行バス等で長距離移動する際、車の下部からくる振動と全体重がかることによる尻、腰、背中の痛みを和らげる二連式空気座蒲団を提供する。【解決手段】中央分離帯で折りたたんだ約３５センチ四方の２枚の塩化ビニール系の座蒲団に、それぞれ空気注入口から空気を入れ連結した２枚の座蒲団を作り、その２枚をそのまま２枚重ねの座蒲団として使用するか、もしくは１枚を座蒲団として使用しもう１枚を背もたれクッションとして使用する。パンパンに空気を入れる必要はなく軽く入れる程度でよい。２枚重ね座蒲団として使用してもシートベルトを着用しているため腰への負担はない。【選択図】図６
0003197942.tif 000002
【実用新案登録請求の範囲】
【請求項１】
約３５センチ四方の塩化ビニール系の座蒲団２枚を中央帯で連結させた、折りたたみ自由で、かつ携帯可能な、空気注入口つき二連式空気座蒲団（クッション）
【考案の詳細な説明】
【技術分野】
【０００１】この考案は中央で連結した約３５ｃｍ四方の２枚の塩ビ系座蒲団にそれぞれ座蒲団に埋め込んである空気注入口から空気を入れ、座蒲団と背もたれの両機能を持たせた空気座蒲団（クッション）である。
【背景技術】
【０００２】この考案は夜行バス等で長距離移動する際、車の下部からくる振動と全体重がかることによる尻、腰、背中の痛みを和らげることを狙いとしているものである。
【考案の概要】
【考案が解決しようとする課題】
【０００３】本考案は体全体の重圧と、下からくる車の衝撃を空気座蒲団で吸収しかつ空気背もたれクッションで和らげ尻、腰の痛みを解消することにある。
例えば長距離バスについては座席で眠るとき、上半身の全体重が尻、腰にかかるため、お尻が痛い、腰が痛い、背中が痛い、安眠できないなどを訴える人が多く、それぞれ工夫して尻の下に毛布を敷いたり、空気枕を腰にあてがったりしている人が多い。インターネット上でも解決を求める投稿が多いが解決に至っていない。
ソファーが固いことも原因の一つと考えられる。
この考案は以上の問題点を解決しようとするものである。
【課題を解決するための手段】
【０００４】中央分離帯で折りたたんだ２枚の塩化ビニール系の座蒲団に、それぞれ空気注入口から空気を入れ連結した２枚の座蒲団を作り、その２枚をそのまま２枚重ねの座蒲団として使用するか、もしくは１枚を座蒲団として使用しもう１枚を背もたれクッションとして使用するかは自由。
パンパンに空気を入れる必要はなく軽く入れる程度でよい。２枚重ね座蒲団として使用してもシートベルトを着用しているため腰への負担はない。
【考案の効果】
【０００５】小さくたためるため持ち運びに便利、軽量でしかも安価。空気を入れるのも抜くのも簡単。
インターネット上で質問の多いお尻の痛み、腰の痛み、背中の痛みなど下部からくる衝撃を和らげ快適なバス、車の長距離移動を可能にする。
【考案を実施するための最良の形態】
【０００６】一枚を座蒲団として使用し、２枚目を背もたれとして使用すると効果的。【０００７】図１は空気を入れる前の２枚の座蒲団を重ね合わせたものである。図２は図１を開いて２枚したものである。
【実施例２】
【０００８】図３は空気注入口から空気を入れたものを２枚重ねにセットしたものである。
図４は空気を入れたものを開いて２枚したものである。
【実施例３】
【０００９】図５は図３を椅子にセットした斜視図である。
図６は図４を椅子にセットした斜視図である。
【産業上の利用可能性】
【００１０】長時間乗車が可能であり、かつ道路事情の悪い場所にも適し、全世界に共通。低コストで広範囲に普及させることが狙い。
【図面の簡単な説明】
【００１１】
【図１】二連式の座蒲団を空気を抜いた状態で二枚を重ねた状態
【図２】二連式座蒲団を空気を抜いた状態で２枚に分離し開いた状態
【図３】二連式座蒲団を空気を入れた状態で二枚重ねた状態
【図４】二連式座蒲団を空気を入れた状態で分離し開いた状態
【図５】二連式座蒲団を空気を入れ二枚重ねで椅子にセットした斜視図
【図６】二連式座蒲団を空気を入れ二枚開いた状態で椅子にセットした斜視図
【符号の説明】
【００１２】  １    空気座蒲団１枚目
２    空気座蒲団２枚目
３    接合帯
４    空気注入口
【図１】
0003197942.tif 000003
【図２】
0003197942.tif 000004
【図３】
0003197942.tif 000005
【図４】
0003197942.tif 000006
【図５】
0003197942.tif 000007
【図６】
0003197942.tif 000008
(57)【要約】      （修正有）【課題】コインの出し入れに際してケース全体を出入口として広げ、例え暗い場所であってもコインの出し入れが容易となるコインケースを提供する。【解決手段】多角形に形成された中敷板１と、中敷板と同型に形成され、中敷板の各々の外縁辺に接する底辺を有する複数の二等辺三角片３と、この複数の二等辺三角片の底辺を中心に中央方向に折曲して中敷板を抱合する柔軟性の多角形外被板２を設けると共に、多角形外被板の各々の三角形片にホック６を設け、さらにこの各々のホックに対応して相互に係合するホック５を中敷板に設ける。【選択図】図１
0003197943.tif 000002
【実用新案登録請求の範囲】
【請求項１】
多角形に形成された中敷板と、この中敷板と同型に形成されると共に、該中敷板の各々の外縁辺に接する底辺を有する複数の二等辺三角片を設け、且つこの複数の二等辺三角片の底辺を中心に中央方向に折曲して前記中敷板を抱合する柔軟性の多角形外被板と、更に該多角形外被板の各々の三角形片にホックを設け、この各々のホックに対応して相互に係合するホックを前記中敷板に設けて成ることを特徴としたコインケース。
【請求項２】
前記多角形外被板及び中敷板は、布、軟質性合成樹脂、皮革等の柔軟性材料にて形成されたことを特徴とした請求項１記載のコインケース。
【請求項３】
前記中敷板のホックを雄型とし、且つ外被板のホックを雌型としたことを特徴とする請求項１〜２いずれか１記載のコインケース。
【考案の詳細な説明】
【技術分野】
【０００１】  本考案は所望のコインを複数枚収納して持ち運ぶコインケースに関する。
【背景技術】
【０００２】  この種コインケースは、紙幣と区別し、コインのみを収納するものとして布、軟質性合成樹脂、皮革等にて作製され、手軽に用いられている。
コインは紙幣に比し重さを伴っていることに加え、頻繁に出し入れされることからその口部をホックにて閉塞するものとして下記特許文献１が存在する。
又、ファスナーにて閉塞するものとして下記特許文献２が存在する。
【先行技術文献】
【０００３】
【特許文献１】  実用新案登録第３１５８５９８号  公報
【特許文献２】  特開２０１２−１１１１０号  公報  然しながら、このホック、或いはファスナーは、元来コインケースが小物用の身近な用具として手軽に用いられることから、そのコインの出入口も小さく、特に手元が暗い場所ではファスナー、ホックの位置を探すのに容易ではなく手短な用品である反面、幼児、老人等に於いては使用辛い一面も否定できない。
【考案の概要】
【考案が解決しようとする課題】
【０００４】  コインケース外周の何れの方向からもコインの出入が可能となる様にし、例え暗い場所であってもコインの出し入れが容易となることへの課題を解決する。
【課題を解決するための手段】
【０００５】  本考案は、多角形に形成された中敷板と、この中敷板と同型に形成されると共に、該中敷板の各々の外縁辺に接する底辺を有する複数の二等辺三角片を設け、且つこの複数の二等辺三角片の底辺を中心に中央方向に折曲して中敷板を抱合する多角形外被板と、更に該多角形外被板の各々の三角形片にホックを設け、この各々のホックに対応して相互に係合するホックを前記中敷板に設けて成ることを特徴としたものである。【０００６】  更に本考案は、多角形外被板及び中敷板を、布、軟質性合成樹脂、皮革等の柔軟性材料にて形成されたことを特徴としたものである。【０００７】  更に本考案は、中敷板のホックを雄型とし、且つ外被板のホックを雌型としたことを特徴としたものである。
【考案の効果】
【０００８】（１）請求項１により、多角形外被板２の二等辺三角片３は何れの方向からも開くことができるので収納袋部４へのコインＣの出し入れも同様に何れの方向からも可能となり、暗い場所であってもコインの出し入れが容易となる。
又、中敷板１と外被板２の二等辺三角片３とは互いにホック５、６にて結合しているから縫製を必要としない。
【図面の簡単な説明】
【０００９】
【図１】コインケースの斜視図
【図２】同上の正面図
【図３】同上の拡大縦断面図
【図４】同上の多角形外被板の正面図
【図５】同上の中敷板の正面図
【図６】六角型外被板の実施例を示す正面図
【図７】同上の五角型の実施例を示す正面図
【図８】同上の四角型の実施例を示す正面図
【考案を実施するための形態】
【００１０】  以下本考案を実施形態の図面に基づいて説明する。
図１はコインケースの五角型の実施例を示す斜視図及び図２は正面図であって、五角型に形成された中敷板１に、該中敷板１と同型に形成された五角形外被板２を中敷板１に被着して覆っている。
具体的には、図４に示す如く外被板２は、布、軟質性合成樹脂、皮革等の柔軟性材料にて形成されており、図５には五角型に形成されている中敷板１を示している。勿論、中敷板１も同様に布、軟質性合成樹脂、皮革等の柔軟性材料としてもよい。
【００１１】  外被板２には、中敷板１の各外縁辺１ａに接する底辺３ａとした二等辺三角片３を放射状に突出して複数設けており、この二等辺三角片３の底辺３ａを中心に図１に示す如く、中央方向（矢示方向Ｘ）に折曲して中敷板１を抱合すると共に、中敷板１と外被板２とでコインＣの収納袋部４を構成する。
【００１２】  更に中敷板１と外被板２の二等辺三角片３とには、夫々互いに係合するホック５，６が設けられている。具体的には中敷板１のホック５を雄型とし、外被板２の二等辺三角片３のホック６を雌型としており、中敷板１と外被板２とは互いに縫製をすることなく、コインケースを構成すこととなる。
図６は外被板２を六角型とした実施例であり、図８は四角型とした実施例であって、任意に取捨選択する。
【００１３】  次に本考案コインケースの使用順序を図２及び図７の五角型実施例に基づいて説明すると、図７は外被板２の二等辺三角片３が総て塞がれている。
この状態より、図３に示す如く、任意の二等辺三角片３を矢示方向Ｘに引くと共に、中敷板１のホック５から二等辺三角片３のホック６を外し、コインＣを収納袋部４に収納する。
その後、コインＣを取り出す場合には、同様に任意の二等辺三角片３を矢示方向Ｘに引くと共に、中敷板１のホック５から二等辺三角片３のホック６を外し、コインＣを取り出す。
【符号の説明】
【００１４】Ｃ  コイン
１  中敷板
２  外被板
３  二等辺三角片
４  収納袋部
５  ホック
６  ホック
【図１】
0003197943.tif 000003
【図２】
0003197943.tif 000004
【図３】
0003197943.tif 000005
【図４】
0003197943.tif 000006
【図５】
0003197943.tif 000007
【図６】
0003197943.tif 000008
【図７】
0003197943.tif 000009
【図８】
0003197943.tif 000010
(57)【要約】      （修正有）【課題】軽く、場所をとらず、木材の色焼けを防ぎ、デザインも今の生活空間に合う額縁入り観賞用木材を提供する。【解決手段】様々な仕上げ加工を施した木材の板３の仕上げ面を、透明な紫外線遮断手段２で覆い、額縁１を組む透明な紫外線遮断手段によって、木材の色焼けを防ぎ、木材反り防止材４を仕上げ加工を施した木材の反対面長手方向中央に取り付けることにより、反りを防止する。また、壁掛け用の紐５を、木材の板仕上げ面の反対面に設けた金物７に取り付け、壁に掛けるようにする。【選択図】図２
0003197941.tif 000002
【実用新案登録請求の範囲】
【請求項１】
表面を、様様な仕上げ加工を施した木材の板の仕上げ面を、紫外線を遮断する透明な紫外線遮断手段で覆わせて額縁に入れ、前記木材板の仕上げ面の反対面に当接するように反り防止材を取り付け、前記木材板の仕上げ面の反対面の額縁に壁掛け用の紐を取り付けて、壁に掛け、あるいは、床に置いたりして楽しむ、額縁入り観賞用木材。
【考案の詳細な説明】
【技術分野】
【０００１】  本考案は、様様な仕上げ加工を施した木材の板の仕上げ面を、紫外線を遮断する透明な紫外線遮断手段で覆わせて、額縁に入れて飾る物に関するものである。
【背景技術】
【０００２】  昨今の建築物は、ビニールクロスの壁紙に、プリント合板の建具材が普及していて本物の木を感じられる空間が少なくなってしまった。【０００３】  観賞用の木材は昔から見るが、どれも、大きくて、重くて、場所をとり、色焼けする、尚且つ見た目やデザインも、今の生活空間には合っていない。
【考案の概要】
【考案が解決しようとする課題】
【０００４】  ビニールクロスや、プリント合板が幅広く普及しすぎてしまい、本物の木の良さを忘れてしまっている人、知らない人が増えているので、簡単に木と人との接点を作ることを目的とし、従来の観賞用木材より、軽く、場所をとらず、木材の色焼けを防ぎ、デザインも、今の生活空間に合った観賞用木材を提供するものである。
【課題を解決するための手段】
【０００５】  上記課題を解決するため、本考案は、表面を、様様な仕上げ加工を施した木材の板の仕上げ面を、紫外線を遮断する透明な紫外線遮断手段で覆わせて、額縁に入れることにより、薄く、軽く、スタイリッシュなデザインになり、木材板の色焼けを防ぐ、また、前記木材板の仕上げ面の反対面に当接するように反り防止材を取り付けることにより木材板の反りを防止し、前記木材板の仕上げ面の反対面の額縁に壁掛け用の紐を取り付け、壁に掛けられるので場所をとらない。従って、本考案、額縁入り観賞用木材は、前記構成、理由により課題を解決している。
【考案の効果】
【０００６】  上述の様に、本考案の額縁入り観賞用木材は、薄くなることで軽くなり、尚且つ、スタイリッシュなデザインになり、壁に掛けることで場所を取らず、透明な紫外線遮断手段により紫外線による色焼けも防ぐので、様様な場面で活躍でき、多くの人に木をみなおしてもらえる。また、木を観賞した人たちに、癒しや、安らぎを与える。
【図面の簡単な説明】
【０００７】
【図１】本考案の額縁入り観賞用木材の正面図である。
【図２】本考案の額縁入り観賞用木材の一部断面図である。
【図３】本考案の額縁入り観賞用木材の背面図である。
【考案を実施するための形態】
【０００８】  額縁入り観賞用木材の、様様な仕上げ加工を施した木材の板の仕上げ面は透明な紫外線遮断手段で押さえられ、仕上げ面の反対面は、反り防止材を前記木材板の長手方向中央に当接するように入れて額縁に取り付けて前記木材板の反りを防止する。前記木材板の仕上げ面の反対面は、外気と常に接しているので木材の空気との性質を妨げることはない。壁掛け用の紐は前記木材板仕上げ面の反対の面の額縁に取り付け、縦、横どちらでも飾れるようにする
【実施例】
【０００９】  以下、添付図面に従って実施例を説明する。様様な仕上げ加工を施した木材の板３の仕上げ面に、透明な紫外線遮断手段２を覆わせて、額縁１の内側にある溝にはめて、額縁１を組んでしまえば額縁１から外れない。前記木材板の仕上げ面の反対面には、木材反り防止材４を、額縁入り観賞用木材の長手方向中央に当接するように入れ、木材反り防止材留め金物６で留めて、様様な仕上げ加工を施した木材の板３の反りを防ぎ、紐取り付け金物７を前記木材板仕上げ面の反対面の額縁１に取り付け、壁掛け用の紐５を紐取り付け金物７に留める。【００１０】  様様な仕上げ加工を施した木材の板３の、様様な仕上げ加工とは、例えば、浮造り仕上げ、あるいは、鉋仕上げ、あるいは、塗装仕上げなどの木材の仕上げ加工のことで、浮造り仕上げと、塗装仕上げを組み合わせるような、二以上の仕上げ加工を組み合わせることもある。【００１１】  透明な紫外線遮断手段２とは、紫外線を遮断する加工を施された透明な板状の物のことで、例えば、アクリル板、あるいは、ガラス、あるいは、フィルム、などのことである。【００１２】  額縁１の素材には様様な素材を使うことができる。例えば、アルミニウム、あるいは、プラスチック、あるいは、木材など様々な加工を施した木材の板３の周囲を包囲出来るものである。【００１３】  木材反り防止材４の素材には、例えば、木材、あるいは、金属、あるいは、プラスチックなど様様な仕上げ加工を施した木材の板３の反りを押さえる強度を持ったものである。この実施例では、木材の棒状の板であって、その表面側の中央には長手方向に沿って所定幅の凹溝が設けられている。【００１４】  木材反り防止材留め金物６は、前記木材反り防止材４の凹溝にはめて木材反り防止材留め金物用ねじ８で額縁１の長手方向中央に留め付けられ木材反り防止材４を固定し様様な仕上げ加工を施した木材の板３の反りを防止する。【００１５】  壁掛け用の紐５は、紐取り付け金物７に開いた穴に通して縛って固定し、素材は額縁入り観賞用木材の重さに耐える強度を持った物で例えば、ナイロン、あるいは、ビニール、などで、ワイヤーなど金属の物なども使用する場合もある。【００１６】  紐取り付け金物７は、様様な仕上げ加工を施した木材の板３の仕上げ面の反対面の額縁１に、紐取り付け金物用ねじ９で、上下、左右、自在に留め付けることができるので、額縁入り観賞用木材は、縦、横自由に壁に掛けることができる。【００１７】  上述の結果、本考案の、額縁入り観賞用木材は、薄くなることで軽くなり、簡単に移動ができ、尚且つ、スタイリッシュなデザインになり、壁に掛けることで場所を取らず、紫外線を遮断することで様様な仕上げ加工を施した木材の板３の色焼けを防ぐので、様様な場面で活躍でき多くの人に木を見直してもらえる。また、木を観賞した人たちに、癒しや、安らぎを与える。
【符号の説明】
【００１８】  １  額縁
２  透明な紫外線遮断手段
３  様様な仕上げ加工を施した木材の板
４  木材反り防止材
５  壁掛け用の紐
６  木材反り防止材留め金物
７  紐取り付け金物
８  木材反り防止材留め金物用ねじ
９  紐取り付け金物用ねじ
【図１】
0003197941.tif 000003
【図２】
0003197941.tif 000004
【図３】
0003197941.tif 000005
(57)【要約】      （修正有）【課題】段ボール等の印刷加工時に使用し、段ボールシートとのグリップ性が向上する履帯状送り版を提供する。【解決手段】送り帯版Ｅの版面Ａに凹み溝Ｊを等間隔で配した履帯状の帯版にする。この構成により、グリップ性の向上、インキ使用量の削減と製箱時のジョイント部の接着強化、版胴にセット時の反発復元性低下による剥がれ防止に繋がり、印刷加工の作業効率性を高めると共に不良製品の削減による資源の有効利用に寄与するものである。【選択図】図２
0003197946.tif 000002
【実用新案登録請求の範囲】
【請求項１】
段ボール等の印刷加工時に使用する送り帯版の版面に溝状の凹みを等間隔で配した履帯状送り版。
【考案の詳細な説明】
【技術分野】
【０００１】  本考案は、ダンボール等の印刷加工時に使用する送り版に関するものである。
【背景技術】
【０００２】  従来、段ボールケースの印刷加工時に於いて平状の段ボールシートが印刷輪転機の工程を平行に安定して次の工程へ送られる様、印刷版の左右（シート余白部）に直線ベタ状の送り帯版を使用している。（図１参照）
【考案の開示】
【考案が解決しようとする課題】
【０００３】  しかし、この形状では
１．段ボールシートとのグリップ力が弱くスリップし易い。
２．本来無用となる版面画像部の面積が広い為、インキ使用量の無駄となり、その付着インキが製箱時のジョイント接着障害にもなる。
３．版胴に湾曲させて使用する事から、直線状に戻ろうとする反発復元力で貼り付けた整版フイルムから剥がれ易い。
【課題を解決する為の手段】
【０００４】  そこで、送り版の形状を印刷シートと接触する版面に等間隔で溝状の凹みを配した履帯状の帯版とする。（図２参照）
【考案の効果】
【０００５】  よって、本考案の送り帯版の形状により、
１．段ボールシートとのグリップ性が向上し印刷加工作業の安定に繋がる。
２．印刷画像面積の縮小により、インキの使用量が削減され製箱時のジョイント強化にも繋がる。（図２（２）参照）
３．版胴へ湾曲させてのセット時、直線状への反発復元力が弱まり、整版フイルムから剥がれ難くなる。
【考案を実施する為の最良の形態】
【０００６】  本考案に係る送り帯版は図２に示すとおり、版面に溝状の凹みが等間隔で配した履帯形状である。
素材は、弾性に優れ安価で軽量な発泡クッション材が望ましい。（図２参照）
【図面の簡単な説明】
【０００７】
【図１】（１）従来の送り帯版の斜視図である。（２）印刷状況時の斜視図である。
【図２】（１）本考案の送り帯版の斜視図である。（２）本考案の送り帯版を使用した印刷状況時の斜視図である。
【符号の説明】
【０００８】Ａ    版面
Ｂ    接着テープ
Ｃ    版胴
Ｄ    印刷シート
Ｅ    送り帯版
Ｆ    印刷版
Ｇ    整版フイルム
Ｈ    印刷画像
Ｉ    製箱ジョイント部
Ｊ    凹み溝
【図１】
0003197946.tif 000003
【図２】
0003197946.tif 000004
(57)【要約】      （修正有）【課題】よりきめ細かい泡立ちと、浴室内において髪を束ねる事ができ、使用後に浴室の蛇口部分やシャワーヘッド部分に差し込むことによって収納可能な体洗いネット及び泡立てネットを提供する。【解決手段】ネット素材１を束ねて成る体洗いネット及び泡立てネットであって、ネットの筒状になった内側に伸縮性のある略糸状の素材を通しリング状に形成し、中央の開口部分からネット目のより細かいオーガンジー生地２を通しネットを包み込むようにした。【選択図】図３
0003197948.tif 000002
【実用新案登録請求の範囲】
【請求項１】
筒状のネットの内側に伸縮性のある略糸状の素材を通し、ネットをリング状に形成し、中央の開口部分から前記ネットより目の細かいオーガンジー生地を通し、前記ネットを包み込むように構成した体洗いネット及び泡立てネット。
【考案の詳細な説明】
【技術分野】
【０００１】本考案は、ネット素材を使った体洗いネット及び泡立てネットの製造方法に関するものである。
【背景技術】
【０００２】ネット素材を束ねて球状にした体洗いネットや泡立てネットは、一般的に提供されている。【０００３】しかし、この状態では泡立ちは良いものの、泡の質は目が粗いものになり、また球状になっていることで、体洗いや泡立て以外の用途への使用はできなかった。
【考案の概要】
【考案が解決しようとする課題】
【０００４】本考案の目的は、ネット素材を使った体洗いネット及び泡立てネットにより、泡立てた泡の質をきめ細かくし、体洗いや泡立て以外の機能を持たせた事にある、体洗いネット及び泡立てネットを提供する。
【課題を解決するための手段】
【０００５】上記目的を達成するために、ネットの筒状になった内側に伸縮性のある略糸状の素材を通し、リング状に形成し中央の開口部分から、ネットより目の細かいオーガンジー生地を通し、ネットを包み込むようにした。
【考案の効果】
【０００６】本考案にあっては、ネットの筒状になった内側に伸縮性のある略糸状の素材を通しリング状に形成することによって、中央部分に空間ができこの空間部分により、体洗いや泡立てネットとして使用後、髪を束ねる事に利用できる。
上記目的に使用後は、浴室の蛇口部分やシャワーヘッド部分に差し込むことによって収納可能となる。【０００７】中央の開口部分からネットより細かいオーガンジー生地を通し、ネットを包み込むようにすることによって、ネット生地とオーガンジー生地の２重構造になり、よりきめ細かい泡を、泡立てることが可能になる。
【考案を実施するための形態】
【０００８】以下、本考案の望ましい実施の形態を図面に基づいて説明する。
図１は、本商品にかかる体洗いネット及び泡立てネットの平面図であり、図中符号１はポリエチレンから成る延伸ネット素材、図中符号２はオーガンジー生地を示す。
【０００９】本商品にかかる体洗いネット及び泡立てネットは、ポリエチレンから成る延伸ネットの筒状になった内側にゴム・エラストマー等から成る伸縮性のある素材を通してリング状に形成し、そのまわりをオーガンジー生地で包んで縫製し製造される。
【００１０】本考案の製造工程はまず図２に示すように、ポリエチレンから成る延伸ネットの筒状になった内側にゴム・エラストマー等から成る、伸縮性のある素材を通してリング状に形成する。
【００１１】次に図３・図４に示すように、オーガンジー生地をリングの内側に通し、ポリエチレンから成る延伸ネットを適度に締め付ける事の無い様な間隔を開け、包み込み縫製しさらに裏返して口部分を縫製し、ポリエチレンから成る延伸ネットをオーガンジー生地で包み込んだ状態とする。
【００１２】以上、本考案に係る体洗いネット及び泡立てネットの一実施例について説明したが、本考案は上記実施例に限定されるものではなく、適宜変形実施可能である。
【図面の簡単な説明】
【００１３】
【図１】本考案に係る体洗いネット及び泡立てネットの、一実施例を示す平面図である。
【図２】本考案に係る体洗いネット及び泡立てネットのネット素材の、筒状の内側にゴムを通してリング状にした状態の平面図である。
【図３】本考案に係る体洗いネット及び泡立てネットのネット素材をリング状にし、そのリングの内側にオーガンジーを通した斜視図である。
【図４】リング状にしたネット素材の内側に通したオーガンジー生地で、ネット素材を包んでまわりを縫製している斜視図である。
【符号の説明】
【００１４】１  ネット素材
２  オーガンジー生地
【図１】
0003197948.tif 000003
【図２】
0003197948.tif 000004
【図３】
0003197948.tif 000005
【図４】
0003197948.tif 000006
(57)【要約】      （修正有）【課題】排水性、滑り止め効果に加え、使用時の吸水効果も備えたマットを提供する。【解決手段】本体１０を備え、本体は、上平面１１と下平面１２の間が複数の柱体で形成される弾性柱体ユニットにより連結されて成り、かつ上平面１１及び下平面１２にそれぞれ複数の配列された孔１４が設けられ、各孔と弾性柱体ユニットの外周にそれぞれ滑り止め層が形成されている。【選択図】図１
0003197974.tif 000002
【実用新案登録請求の範囲】
【請求項１】
マットであって、本体を備え、前記本体は、上平面と下平面の間が複数の柱体で形成される弾性柱体ユニットにより連結されて成り、かつ前記上平面及び下平面にそれぞれ複数の配列された孔が設けられ、各孔と弾性柱体ユニットの外周にそれぞれ滑り止め層が形成されたことを特徴とする、マット。
【請求項２】
吸水パッドが前記本体の上面に設置されたことを特徴とする、請求項１に記載のマット。
【請求項３】
前記吸水パッドが前記本体と一体成型されたことを特徴とする、請求項２に記載のマット。
【考案の詳細な説明】
【技術分野】
【０００１】
本考案は、滑り止め、排水効果、吸水効果を兼備したマットに関する。
【背景技術】
【０００２】
浴室内で使用されるマットは、多くがプラスチック素材の組み立て式マットや、綿素材の吸水性マットである。
そのうち、プラスチック素材の組み立て式マットは排水効果しかなく、滑り止め効果はないため、使用者が踏んだ後に滑りやすく、安全性の問題があるため、現今では綿素材の吸水性マットが多く使用されている。しかし、綿素材の吸水性マットは、吸水効果はあるものの、排水性に優れないため、使用するたび毎回交換しなければならず、不便である。
【０００３】
このほか、ゴム素材のマットもあるが、これは底面に一層の薄い滑り止めコーティングを備えており、滑り止め効果があるため、浴室の外やキッチンでの使用に適している。しかしながら、高い滑り止め効果を備えているものの吸水性に乏しい。
また、ラテックス素材のマットがあるが、これは一定の厚みを備えており、滑り止め効果があるものの、吸水性、排水性に劣り、通気性もないため、常時湿った環境に置かれていると、破損しやすくなる問題があり、その場合、使用者はマットを捨てるしかなくなるため、環境保護にそぐわず、実用性に欠ける。
このように、前述した従来品にはさまざまな欠点があり、改良が必要である。
【考案の概要】
【考案が解決しようとする課題】
【０００４】
本考案が解決しようとする課題は、上述の問題を解決し、排水性、滑り止め効果に加え、使用時の吸水効果も備えたマットを提供することにある。
【課題を解決するための手段】
【０００５】
本考案のマットは、本体を備え、前記本体は、上平面と下平面の間が複数の柱体で形成される弾性柱体ユニットにより連結されて成り、かつ前記上平面及び下平面にそれぞれ複数の配列された孔が設けられ、各孔と弾性柱体ユニットの外周にそれぞれ滑り止め層が形成されている。
【０００６】
吸水パッドを前記本体の上面に設置してもよい。
この場合、前記吸水パッドが前記本体と一体成型されることがある。
【考案の効果】
【０００７】
本考案によれば、使用者が入浴後等に本体を足で踏んだときに水分が上平面及び下平面の孔から排出され、全体が滑り止め層を備えているため、極めて優れた滑り止め効果を有し、使用者が浴室内で滑って転倒することを防止でき、高い安全性を備えている。
また、弾性柱体ユニットは複数の柱体から形成されているので、使用者が本体を踏んだとき、極めて優れた弾性効果が発揮されて快適である。
【図面の簡単な説明】
【０００８】
【図１】本考案の実施例１を示すマットの斜視図である。
【図２】本考案の実施例１を示すマットの平面図である。
【図３】本考案の実施例１を示すマットの断面図である。
【図４】本考案の実施例１を示すマットの要部拡大断面図である。
【図５】本考案の実施例１を示すマットの使用状態における断面図である。
【図６】図５のＡ部拡大図である。
【図７】本考案の実施例２を示すマットの断面図である。
【考案を実施するための形態】
【０００９】
以下、本考案の実施例を図面に基づいて詳細に説明する。
図１〜図６は、本考案の実施例１を示す。
図１〜図３に示すように、本考案のマットは、本体１０を備え、本体１０は、上平面１１と下平面１２の間が弾性柱体ユニット１３により連結されて成る。
本体１０の上平面１１及び下平面１２にはそれぞれ複数の配列された孔１４が設けられる。各孔１４は概ねハニカム状を呈する。
【００１０】
図４に示すように、各孔１４と弾性柱体ユニット１３の外周にそれぞれ滑り止め層１５が設けられる。滑り止め層１５は、浸漬により形成することができる。
弾性柱体ユニット１３は複数の柱体１３１から形成される。各柱体１３１は、その上下方向の中間点を中心として両端を逆方向に旋回した形状であり、柱体１３１の両側縁は互いに適切な角度Ａをもって傾斜している。適切な角度Ａは５〜４５度である。
【００１１】
図７は本考案の実施例２を示す。
実施例２では、本体１０の上面に吸水パッド２０が設置される。吸水パッド２０はタオル地である。吸水パッド２０は本体１０と一体成型してもよい。
【００１２】
以上のように、本考案のマットは、上平面１１、下平面１２の間が弾性柱体ユニット１３により連結され、かつ上平面１１、下平面１２にそれぞれ複数の配列されたハニカム状の孔１４が設けられており、各孔１４と弾性柱体ユニット１３の外周にそれぞれ浸漬により形成された滑り止め層１５が設けられているため、使用者が浴室内に配置して使用する際、使用者が入浴後本体１０上を足で踏んだときに水分が上平面１１、下平面１２のハニカム状の孔１４から排出され、かつ全体が浸漬により形成された滑り止め層１５を備えているため、極めて優れた滑り止め効果を有し、使用者が浴室内で滑って転倒することを効果的に防止でき、高い安全性と実用性を備えている。
【００１３】
さらに、弾性柱体ユニット１３は複数の柱体１３１から形成されており（図４参照）、使用者が本体１０を踏んだとき、極めて優れた弾性効果が発揮され（図５及び図６参照）、快適である。
【００１４】
本考案のマットは、浴室内に配置して、排水、滑り止め効果を備えたマットとして使用できるだけでなく、図７に示すように、本考案の本体１０の上方にタオル地の吸水パッド２０を設置して、浴室の入り口やキッチンの適切な位置に配置し、マットとして使用することもでき、排水、滑り止め効果に加え、使用時の吸水効果も具備させることができ、広い実用性を備えている。
【符号の説明】
【００１５】
１０        本体
１１        上平面
１２        下平面
１３        弾性柱体ユニット
１３１      柱体
１４        孔
１５        滑り止め層
２０        吸水パッド
Ａ          適切な角度
【図１】
0003197974.tif 000003
【図２】
0003197974.tif 000004
【図３】
0003197974.tif 000005
【図４】
0003197974.tif 000006
【図５】
0003197974.tif 000007
【図６】
0003197974.tif 000008
【図７】
0003197974.tif 000009